(57)【要約】【課題】  要求の変更や追加に対して容易に対応することができる画像処理制御装置を提供する。【解決手段】  ネットワーク上に配置されディジタル画像をプログラムデバイスにより処理する画像処理装置に対し、ユーザ要求により設定するプログラムを通信し、設定あるいは実行動作を制御する複数の画像処理制御手段１−１、１−２及び画像処理実現手段１−３、１−４を備えるようにした。【選択図】        図１
2006011665.tif 000002
【特許請求の範囲】
【請求項１】
ネットワーク上に配置され、ディジタル画像をプログラムデバイスにより処理する画像処理装置の設定または実行動作を制御する画像処理制御装置であって、ユーザ要求により設定するプログラムを取得する取得手段と、取得したプログラムを前記前記画像処理装置に対して送信する送信手段と、を備えていることを特徴とする画像処理制御装置。
【請求項２】
ネットワーク上に配置され、ディジタル画像をプログラムデバイスにより処理する画像処理装置の設定または実行動作を制御する画像処理制御装置であって、ユーザ要求により設定するパラメータを取得する取得手段と、取得したパラメータを前記画像処理装置に対して送信する送信手段と、を備えていることを特徴とする画像処理制御装置。
【請求項３】
ネットワーク上に配置され、ディジタル画像をプログラムデバイスにより処理する画像処理装置の設定または実行動作を制御する画像処理制御装置であって、ユーザ要求による要求コマンドを取得する取得手段と、取得した要求コマンドを前記画像処理装置に対して送信する送信手段と、を備えていることを特徴とする画像処理制御装置。
【発明の詳細な説明】
【技術分野】
【０００１】
本発明は、ネットワーク上に分散された画像処理装置を制御する画像処理制御装置に関する。
【背景技術】
【０００２】
ネットワーク上に配置され、ディジタル画像をＤＳＰ（ディジタルシグナルプロセッサ）等のプログラムデバイスにより処理する画像処理装置としてのディジタル複写機において、複数のＤＳＰを接続するシステムが商品化されつつある。
【発明の開示】
【発明が解決しようとする課題】
【０００３】
しかしながら、あらかじめユーザ要求が限定されている商品と比べ、ネットワーク上の画像処理装置に対する要求は、複雑かつバリエーションが多い。その場合、すべての要求に対応するシステムを構築しようとすると高価となり、また、要求の変更や追加に対しても柔軟に対応できない。
そこで、本発明は上記したような点を鑑みてなされたものであり、要求の変更や追加に対して容易に対応することができる画像処理制御装置を提供することを目的とする。
【課題を解決するための手段】
【０００４】
上記目的を達成するために、請求項１記載の発明は、ネットワーク上に配置され、ディジタル画像をプログラムデバイスにより処理する画像処理装置の設定または実行動作を制御する画像処理制御装置であって、ユーザ要求により設定するプログラムを取得する取得手段と、取得したプログラムを前記前記画像処理装置に対して送信する送信手段と、を備えていることを特徴とする。
請求項２記載の発明は、ネットワーク上に配置され、ディジタル画像をプログラムデバイスにより処理する画像処理装置の設定または実行動作を制御する画像処理制御装置であって、ユーザ要求により設定するパラメータを取得する取得手段と、取得したパラメータを前記画像処理装置に対して送信する送信手段と、を備えていることを特徴とする。
請求項３記載の発明は、ネットワーク上に配置され、ディジタル画像をプログラムデバイスにより処理する画像処理装置の設定または実行動作を制御する画像処理制御装置であって、ユーザ要求による要求コマンドを取得する取得手段と、取得した要求コマンドを前記画像処理装置に対して送信する送信手段と、を備えていることを特徴とする。
【発明の効果】
【０００５】
請求項１の発明によれば、複数の画像処理装置（画像処理制御手段）と、複数の画像処理装置（画像処理実現手段）を効果的に接続し、ユーザ要求をダウンロードするプログラムにて管理することにより、自由度を持たせている。
従って、要求の追加や変更が、画像処理制御手段側のプログラム管理の変更のみにより容易に実現できる。またプログラムを管理することにより、通信のデータ量が増大するものの大規模な変更にも対応できる。
また、請求項２の発明によれば、複数の画像処理装置（画像処理制御手段）と、複数の画像処理装置（画像処理実現手段）を効果的に接続し、ユーザ要求をダウンロードするパラメータにて管理することにより、自由度を持たせている。
従って、要求の追加や変更が、画像処理制御手段側のパラメータ管理の変更のみにより容易に実現できる。またパラメータを管理することにより、通信のデータ量が格段に減少し、通信規模の小さいシステムを構築できる。
また、請求項３の発明によれば、複数の画像処理装置（画像処理制御手段）と、複数の画像処理装置（画像処理実現手段）を効果的に接続し、ユーザ要求をダウンロードするコマンドにて管理することにより、自由度を持たせている。
従って、要求の追加や変更が、画像処理制御手段側のコマンド管理の変更のみにより容易に実現できる。またコマンドを管理することにより、通信のデータ量が減少し、中位の通信規模のシステムを構築できる。
【発明を実施するための最良の形態】
【０００６】
以下、図面を参照して、本発明の各実施例を詳細に説明する。
［第１の実施の形態］
図１は第１の実施の形態に係る画像処理システムの構成を示した図であり、第１の画像処理制御手段１−１、第２の画像処理制御手段１−２、第１の画像処理実現手段１−３、第２の画像処理実現手段１−４とがネットワークを介して接続されている。
図２は第１の実施の形態に係る画像処理システムにおける画像処理制御手段のブロック図である。この図２に示す画像処理制御手段は、ユーザ要求管理部２−１、プログラム管理部２−２、制御手段管理部２−３、ネットワーク管理部２−４を備えて構成される。
図３は、第１の実施の形態に係る画像処理システムにおける画像処理実現手段のブロック図である。この図３に示す画像処理実現手段は、画像入出力部３−１、プログラム管理部３−２、実現手段管理部３−３、ネットワーク管理部３−４、画像処理実行部３−５を備えて構成される。
図４は第１の実施の形態に係る画像処理システムにおける動作タイミングチャートである。この図４には、ユーザ要求を第１の画像処理制御手段１−１が受け付け、ネットワークを介して接続される第２の画像処理実現手段１−４が画像処理を行う場合が示されている。設定シーケンスを以下に示す。
まず、第１の画像処理制御手段１−１のシーケンスについて図４を参照しながら説明する。ユーザ要求管理部２−１では、ユーザ要求を優先順位等に従って管理する。制御手段管理部２−３にて、ユーザ要求を画像処理実現手段１−４のプログラム単位に分割し、必要なプログラムをプログラム管理部２−２から取得する。そして、ネットワーク管理部２−４を通して、目的とする第２の画像処理実現手段１−４のネットワーク管理部３−４を通して通信を行う。
次に、第２の画像処理実現手段１−４のシーケンスについて説明する。
実現手段管理部３−３では、ネットワーク管理部３−４から通信されたプログラムをプログラム管理部３−２に保存する。実行動作のシーケンスを以下に示す。第２の画像処理実現手段１−４は、画像入出力部３−１の動作に同期して、画像処理実行部３−５にて画像処理を実行する。
このように構成される第１の実施の形態では、２つの画像処理制御手段と、２つの画像処理実現手段を効果的に接続し、ユーザ要求をダウンロードするプログラムにて管理することにより、自由度を持たせることができる。
【０００７】
［第２の実施の形態］
図５は第２の実施の形態に係る画像処理システムの構成を示した図であり、第１の画像処理制御手段５−１、第２の画像処理制御手段５−２、第１の画像処理実現手段５−３、第２の画像処理実現手段５−４とがネットワークを介して接続されている。
図６は第２の実施の形態に係る画像処理システムにおける画像処理制御手段のブロック図である。この図６に示す画像処理制御手段は、ユーザ要求管理部６−１、パラメータ管理部６−２、制御手段管理部６−３、ネットワーク管理部６−４を備える。
図７は第２の実施の形態に係る画像処理システムにおける画像処理実現手段のブロック図である。この図７に示す画像処理実現手段は、画像入出力部７−１、パラメータ管理部７−２、実現手段管理部７−３、ネットワーク管理部７−４、画像処理実行部７−５を備える。
図８は第２の実施の形態に係る画像処理システムにおける動作タイミングチャートである。ユーザ要求を第１の画像処理制御手段５−１が受け付け、第２の画像処理実現手段５−４が画像処理している。設定のシーケンスを以下に示す。
まず、第１の画像処理制御手段５−１のシーケンスについて説明する。ユーザ要求管理部６−１では、ユーザ要求を優先順位等に従って管理する。制御手段管理部６−３にて、要求を第２の画像処理実現手段５−４のパラメータ単位に分割し、必要なパラメータをパラメータ管理部６−２から取得する。そして、ネットワーク管理部６−４を通して、目的とする第２の画像処理実現手段５−４のネットワーク管理部６−４を通して通信を行う。
次に、第２の画像処理実現手段５−４のシーケンスについて説明する。実現手段管理部７−３では、ネットワーク管理部７−４から通信されたパラメータをパラメータ管理部７−２に保存する。実行動作のシーケンスを以下に示す。第２の画像処理実現手段５−４は、画像入出力部７−１の動作に同期して、画像処理実行部７−５にて画像処理を実行する。
このように構成される第２の実施の形態では、２つの画像処理制御手段と、２つの画像処理実現手段を効果的に接続し、ユーザ要求をダウンロードするパラメータにて管理することにより、自由度を持たせることができる。
【０００８】
［第３の実施の形態］
図９は第３の実施の形態に係る画像処理システムの構成を示した図である。
この図９に示す画像処理システムは、第１の画像処理制御手段９−１、第２の画像処理制御手段９−２、第１の画像処理実現手段９−３、第２の画像処理実現手段９−４とがネットワークを介して接続されている。
図１０は、第３の実施の形態に係る画像処理システムにおける画像処理制御手段のブロック図である。この図１０に示す画像処理制御手段は、ユーザ要求管理部１０−１、コマンド管理部１０−２、制御手段管理部１０−３、ネットワーク管理部１０−４を備える。
図１１は第３の実施の形態に係る画像処理システムにおける画像処理実現手段のブロック図である。本画像処理実現手段は、画像入出力部１１−１、コマンド管理部１１−２、実現手段管理部１１−３、ネットワーク管理部１１−４、画像処理実行部１１−５を備える。
図１２は第３の実施の形態に係る画像処理システムにおける動作タイミングチャートである。ユーザ要求を第１の画像処理制御手段９−１が受け付け、第２の画像処理実現手段９−４が画像処理している。設定のシーケンスを以下に示す。
まず、第１の画像処理制御手段９−１のシーケンスについて説明する。ユーザ要求管理部１０−１では、要求を優先順位等に従って管理する。制御手段管理部１０―３にて、要求を第２の画像処理実現手段９−４のコマンド単位に分割し、必要なコマンドをコマンド管理部１０−２から取得する。そして、ネットワーク管理部１０−４を通して、目的とする第２の画像処理実現手段９−４のネットワーク管理部１１−４を通して通信を行う。
次に、第２の画像処理実現手段９−４のシーケンスについて説明する。実現手段管理部１１−３では、ネットワーク管理部１１−４から通信されたコマンドをコマンド管理部１１−２に保存する。実行動作のシーケンスを以下に示す。第２の画像処理実現手段９−４は、画像入出力部１１−１の動作に同期して、画像処理実行部１１−５にて画像処理を実行する。
このように構成される第３の実施の形態では、２つの画像処理制御手段と、２つの画像処理実現手段を効果的に接続し、ユーザ要求をダウンロードするコマンドにて管理することにより、自由度を持たせることができる。
【図面の簡単な説明】
【０００９】
【図１】第１の実施の形態に係る画像処理システムの構成を示した図。
【図２】第１の実施の形態に係る画像処理システムにおける画像処理制御手段のブロック図。
【図３】第１の実施の形態に係る画像処理システムにおける画像処理実現手段のブロック図。
【図４】第１の実施の形態に係る画像処理システムにおける動作タイミングチャート。
【図５】第２の実施の形態に係る画像処理システムの構成を示した図。
【図６】第２の実施の形態に係る画像処理システムにおける画像処理制御手段のブロック図。
【図７】第２の実施の形態に係る画像処理システムにおける画像処理実現手段のブロック図。
【図８】第２の実施の形態に係る画像処理システムにおける動作タイミングチャート。
【図９】第３の実施の形態に係る画像処理システムの構成を示した図。
【図１０】第３の実施の形態に係る画像処理システムにおける画像処理制御手段のブロック図。
【図１１】第３の実施の形態に係る画像処理システムにおける画像処理実現手段のブロック図。
【図１２】第３の実施の形態に係る画像処理システムにおける動作タイミングチャート。
【符号の説明】
【００１０】
１−１、１−２、５−１、５−２、９−１、９−２  画像処理制御手段、１−３、１−４、５−３、５−４、９−３、９−４  画像処理実現手段
【図１】
2006011665.tif 000003
【図２】
2006011665.tif 000004
【図３】
2006011665.tif 000005
【図４】
2006011665.tif 000006
【図５】
2006011665.tif 000007
【図６】
2006011665.tif 000008
【図７】
2006011665.tif 000009
【図８】
2006011665.tif 000010
【図９】
2006011665.tif 000011
【図１０】
2006011665.tif 000012
【図１１】
2006011665.tif 000013
【図１２】
2006011665.tif 000014